(57)【特許請求の範囲】
【請求項１】
計量機へ給油許可信号を出力するセルフコンソールと、該セルフコンソールからの給油許可信号と油種判断装置からの油種一致信号とを受けて給油可能状態となる計量機とより構成された給油装置において、前記セルフコンソールのセルフ制御装置には、各計量機毎に区画されて、給油系統の油種を表示した油種表示部と、給油要求と給油中とを表示する給油表示部と、この給油表示部に重ねられた給油許可スイッチ部と、油種の不一致を表示する油種判断表示部と、この油種判断表示部に重ねられた油種判断解除スイッチ部と、バイク給油を指示するバイクスイッチ部とが設けられているタッチスイッチを設け、前記計量機は油種判断解除スイッチ部からの油種判断解除信号を受けて給油可能状態となり、バイクスイッチ部からのバイク給油許可信号を受けて、前記油種判断装置からの油種一致信号を受けずに、吐出量を絞った給油可能状態となることを特徴とする給油装置。
【請求項２】
前記計量機に錠付きの油種判断解除釦を設け、該油種判断解除釦からの油種判断解除信号を受けて給油可能状態となる請求項１記載の給油装置。
【発明の詳細な説明】
【０００１】
【発明の属する技術分野】
本発明は、顧客自身が自分の自動車へ燃料油を給油をするセルフサービス用の給油装置で、特に誤油種の給油を防止する油種判断装置を設けた給油装置に関するものである。
【０００２】
【従来の技術】
顧客自身が給油するセルフサービス用の給油装置は、特開平５ー１６２７９３号として知られている。この給油装置では、事務所内のセルフコンソールより計量機の制御ができるようになっているが、油種判断装置がないので、給油に不馴れな顧客は、油種を間違えて給油することがある。そして、油種判断装置を設けた給油装置は、特開平７ー２５７７００号として知られている。この給油装置では、誤油種を給油することはなくなるが、誤判断された場合の油種判断解除スイッチは事務所内でなく給油ノズルの近傍に設けられているので、顧客自身が給油する給油装置では、容易に油種判断が解除され、誤給油となることが生じやすい。また、吐出量を絞ってバイクへ給油を行う給油装置は、特開平８ー３４４９８号として知られている。この給油装置では、バイク給油を指定するスイッチは事務所内でなく計量機に設けられているので、顧客自身が給油する給油装置で実施が難しい。
【０００３】
【発明が解決しようとする課題】
そこで本発明は、顧客自身が給油しても誤油種の給油をすることがなく、油種判断が間違っていた場合に、事務所内のセルフコンソールから油種判断を解除して給油を実行できるようにした給油装置を提供することである。
【０００４】
【課題を解決するための手段】
前記目的を達成するため、本発明は、計量機へ給油許可信号を出力するセルフコンソールと、該セルフコンソールからの給油許可信号と油種判断装置からの油種一致信号とを受けて給油可能状態となる計量機とより構成された給油装置において、前記セルフコンソールのセルフ制御装置には、各計量機毎に区画されて、給油系統の油種を表示した油種表示部と、給油要求と給油中とを表示する給油表示部と、この給油表示部に重ねられた給油許可スイッチ部と、油種の不一致を表示する油種判断表示部と、この油種判断表示部に重ねられた油種判断解除スイッチ部と、バイク給油を指示するバイクスイッチ部とが設けられているタッチスイッチを設け、前記計量機は油種判断解除スイッチ部からの油種判断解除信号を受けて給油可能状態となり、バイクスイッチ部からのバイク給油許可信号を受けて、前記油種判断装置からの油種一致信号を受けずに、吐出量を絞った給油可能状態となること、および、前記計量機に錠付きの油種判断解除釦を設け、該油種判断解除釦からの油種判断解除信号を受けて給油可能状態となることを要旨とするものである。
【０００５】
請求項１記載の本発明によれば、計量機へ給油許可信号を出力するセルフコンソールと、該セルフコンソールからの給油許可信号と油種判断装置からの油種一致信号とを受けて給油可能状態となる計量機とより構成された給油装置において、前記セルフコンソールに油種判断解除スイッチを設け、前記計量機は油種判断解除スイッチからの油種判断解除信号を受けて給油可能状態となるようにしている。
【０００６】
そして、前記セルフコンソールにバイク給油許可スイッチを設け、前記計量機はバイク給油許可スイッチからのバイク給油許可信号を受けて、前記油種判断装置からの油種一致信号を受けずに、吐出量を絞った給油可能状態となるので、給油に不馴れな顧客自身が給油をしても油を溢れさせることがなくなり、タンクの形状から油種判断が難しく、ガソリンエンジン以外のないバイクへの給油がスムーズに行われるようになる。
【０００７】
請求項２記載の本発明によれば、前記計量機に錠付きの油種判断解除釦を設け、該油種判断解除釦からの油種判断解除信号を受けて給油可能状態となるので、計量機の近くに給油作業員がいる場合には、油種判断解除がスピーディに行うことができるようになる。
【０００８】
【発明の実施の形態】
以下、本発明の実施の形態を説明する。図１に示すように、アイランド１上の計量機２にはガソリンの給油系統３と、軽油の給油系統４が設けられ、各給油系統３、４は、図示しない貯油タンクに接続されている。
【０００９】
ガソリンの給油系統３の給油管１１には、ポンプモータ１２に駆動されるポンプ１３と、パルス発信器１４を設けた流量計１５と、制御弁１６が介装され、制御弁１６の吐出口に接続された給油管１１には給油ホース１７が接続されている。この給油ホース１７の先端には油種判断装置１８を設けた給油ノズル１９が取り付けられ、給油ノズル１９を掛けるノズル掛け２０にはノズルスイッチ２１が設けられている。
【００１０】
そして図２にも示すように、ポンプモータ１２と、パルス発信器１４と、制御弁１６と、油種判断装置１８と、ノズルスイッチ２１は給油制御装置２２に接続されている。また、給油制御装置２２には給油データを表示する給油量表示器２３と、油種判断装置１８による油種不一致を知らせる報知器２４と、油種判断装置が誤判断した場合に給油を実行させる錠付きの油種判断解除釦２５が接続されている。
【００１１】
軽油の給油系統４も、上述したレギュラガソリンの給油系統３と同様の構成であるので説明を省略する。
【００１２】
一方、事務所５内にはセルフコンソール３０が設けられ、信号線６により計量機２に接続されている。セルフコンソール３０のセルフ制御装置３１には、表示器３２と、この表示器３２に付設されたタッチスイッチ３３と、給油伝票を発行するプリンタ３４が接続されている。そして、表示器３２及びタッチスイッチ３３は各計量機毎に区画３５、３５・・・されている。
【００１３】
図３に示すように、各計量機の区画３５には、給油系統の油種を表示した油種表示部３６と、給油要求と給油中とを表示する給油表示部３７と、この給油表示部３７に重ねられた給油許可スイッチ部３８と、油種の不一致を表示する油種判断表示部３９と、この油種判断表示部３９に重ねられた油種判断解除スイッチ部４０と、バイク給油を指示するバイクスイッチ部４１とが設けられている。なお、軽油を燃料とするバイクはないので、軽油にはバイクスイッチ部が設けられていない。
【００１４】
次に給油動作を説明する。給油に来た顧客は自動車を計量機２の前の給油エリアに停車し、給油ノズルをノズル掛けより外して自動車へ給油を行う。
【００１５】
例えばガソリンの給油系統３の給油ノズル１９をノズル掛け２０より外すと、ノズルスイッチ２１が閉じて、オン信号が給油制御装置２２へ伝わり（図４  ＳＴ１）、計量機２の給油制御装置２２からセルフコンソール３０のセルフ制御装置３１へ給油要求信号が出力される（図４  ＳＴ２）。セルフ制御装置３１はこの給油要求信号を受けて（図５  ＳＴ１）、この計量機の区画３５の給油表示部３７のガソリンの部分３７ａを点滅表示して給油要求表示をする（図５  ＳＴ２）。
【００１６】
事務員が給油要求表示を見て安全を確認して給油許可スイッチ部３８の点滅しているガソリンの部分３８ａを押すと（図５  ＳＴ３）、セルフ制御装置３１から給油制御装置２２へ給油許可信号が出力される（図５  ＳＴ４）。
【００１７】
給油許可信号を受けた給油制御装置２２は（図４  ＳＴ３）、給油量表示器２３に表示されていた前回の給油量を帰零し、油種判断装置１８に油種判断指示信号を伝える（図４  ＳＴ４）。そして、油種判断装置１８は自動車の燃料タンク内のベーパーより油種を判断し、油種がガソリンでこの給油系統３で給油される油種と一致すると、油種一致信号を給油制御装置２２へ出力する。
【００１８】
油種判断装置１８から油種一致信号を受けた給油制御装置２２は（図４  ＳＴ５）、ポンプモータ１２へ起動信号を出力し、給油中信号をセルフ制御装置３１へ出力し（図４  ＳＴ６）、ポンプ１３が駆動して給油が開始される。給油制御装置２２から給油中信号を受けたセルフ制御装置３１は（図５  ＳＴ５）、給油表示部３７のガソリンの部分３７ａを点滅表示から点灯表示へ変えて給油中表示をする（図５  ＳＴ６）。
【００１９】
給油中は流量計１５のパルス発信器１４からの流量パルスは給油制御装置２２で演算されて給油量表示器２３に表示される。そして、所望量の給油をして給油ノズル１９をノズル掛け２０に掛けて、事務所５へ行って精算をする。
【００２０】
給油ノズル１９をノズル掛け２０に掛けてノズルスイッチ２１よりオフ信号が入力すると（図４  ＳＴ７）、給油制御装置２２はポンプモータ１２への起動信号を停止し、給油データと共に給油終了信号をセルフ制御装置３１へ出力する（図４  ＳＴ８）。
【００２１】
給油終了信号を受けたセルフ制御装置３１は（図５  ＳＴ７）、給油データも共に送られてきているので（図５  ＳＴ８）、プリンタ３４より給油伝票を発行する（図５  ＳＴ９）。そして、事務所５へ来た顧客は給油伝票を受け取って精算をする。
【００２２】
図５のステップＳＴ２で、給油要求表示３７ａがされた顧客の車がバイクである場合は、事務員は安全を確認してバイクスイッチ４１のガソリンの部分４１ａを押すと（図５  ＳＴ１０）、セルフ制御装置３１から給油制御装置２２へバイク給油許可信号が出力する（図５  ＳＴ１１）。バイク給油許可信号を受けた給油制御装置２２は（図４  ＳＴ９）、給油量表示器２３に表示されていた前回の給油量を帰零し、バイク用に制御弁１６を絞り、ポンプモータ１２へ起動信号を出力し、給油中信号をセルフ制御装置３１へ出力し（図４  ＳＴ１０）、ポンプ１３が駆動してバイク用に絞られた吐出量で給油が開始される。給油制御装置２２から給油中信号を受けたセルフ制御装置３１は（図５  ＳＴ１２）、給油表示部３７のガソリンの部分３７ａを点灯表示して給油中表示をする（図５  ＳＴ１３）。
【００２３】
所望量の給油が終わり給油ノズル１９をノズル掛け２０に掛けて、ノズルスイッチ２１よりオフ信号が入力すると（図４  ＳＴ１１）、給油制御装置２２はポンプモータ１２への起動信号を停止し、制御弁１６を開き、給油データと共に給油終了信号をセルフ制御装置３１へ出力する（図４  ＳＴ１２）。そして、給油終了信号を受けたセルフ制御装置３１は（図５  ＳＴ７）、前述したようにステップＳＴ８、ＳＴ９を実行する。このようにして、タンクの形状から油種判断装置１８による油種判断が難しく、ガソリンエンジン以外のないバイクへは、油種判断が行われることなく給油されるので、給油がスムーズに行われるようになる。
【００２４】
また、図４のステップＳＴ４で油種判断装置１８が作動して、油種判断装置１８から油種不一致信号が入力した場合は（図４  ＳＴ１３）、給油制御装置２２は報知器２４へ作動信号を出力し、油種不一致信号をセルフ制御装置３１へ出力する（図４  ＳＴ１４）。油種不一致信号を受けたセルフ制御装置３３は（図５  ＳＴ１４）、表示器３２の油種判断表示部３９のガソリンの部分３９ａを点滅表示して油種不一致を表示する（図５  ＳＴ１５）。油種不一致が表示された後に顧客から油種がガソリンであることを確認した事務員は、油種判断装置１８の誤判断であるとして、油種判断解除スイッチ４０のガソリンの部分４０ａを押すと（図５  ＳＴ１６）、セルフ制御装置３１から給油制御装置２２へ油種判断解除信号が出力される（図５  ＳＴ１７）。
【００２５】
なお、給油エリアに給油作業員がいる場合には、計量機２に設けられている油種判断解除釦２５を所持している鍵を用いて押して、油種判断解除信号を給油制御装置２２へ入力しても良い。この場合は、図４のステップ１５の油種判断解除信号は、セルフ制御装置３１から入力する替わりに油種判断解除釦２５から入力することになる。
【００２６】
油種判断解除信号を受けた給油制御装置２２は（図４  ＳＴ１５）、ポンプモータ１２へ起動信号を出力し給油中信号をセルフ制御装置３１へ出力し（図４  ＳＴ１６）、ポンプ１３が駆動して給油が開始される。給油制御装置２２から給油中信号を受けたセルフ制御装置３１は（図５  ＳＴ１８）、給油表示部３７のガソリンの部分３７ａを点灯表示して給油中表示をする（図５  ＳＴ１９）。そして、給油が終わり給油終了信号がきたら（図５  ＳＴ７）、ステップＳＴ８以下を実行する。
【００２７】
なお、図４のステップＳＴ１４で油種不一致が報知されて、正しい油種がガソリンではなく軽油の場合は、給油ノズル１９をノズル掛け２０に掛けて、軽油の給油系統４の給油ノズルを外して給油をすることになる。そして、給油ノズル１８をノズル掛け２０に掛けてノズルスイッチ２１よりオフ信号が入力すると（図４  ＳＴ１７）、給油制御装置２２は給油終了信号をセルフ制御装置３１へ出力する（図４  ＳＴ１８）。給油終了信号を受けたセルフ制御装置３１は（図５  ＳＴ２０）、給油伝票の発行をすることなしに制御を終える。
【００２８】
【発明の効果】
以上説明したように本発明は、計量機へ給油許可信号を出力するセルフコンソールと、該セルフコンソールからの給油許可信号と油種判断装置からの油種一致信号とを受けて給油可能状態となる計量機とより構成された給油装置において、前記セルフコンソールに油種判断解除スイッチを設け、前記計量機は油種判断解除スイッチからの油種判断解除信号を受けて給油可能状態となるようにしたので、顧客自身が給油しても誤油種の給油をすることがなく、油種判断が間違っていた場合に、事務所内のセルフコンソールから油種判断を解除して給油を実行でき、給油作業がスムーズに行われるようになる。
【図面の簡単な説明】
【図１】  本発明の給油装置を説明する全体図である。
【図２】  本発明の給油装置のブロック図である。
【図３】  本発明のセルフコンソールの表示器の、表示の一例を示す図である。
【図４】  本発明の給油装置の給油制御装置のフロー図である。
【図５】  本発明の給油装置のセルフ制御装置のフロー図である。
【符号の説明】
１  アイランド
２  計量機
３  ガソリンの給油系統
４  軽油の給油系統
５  事務所
６  信号線
１１  給油管
１２  ポンプモータ
１３  ポンプ
１４  パルス発信器
１５  流量計
１６  制御弁
１７  給油ホース
１８  油種判断装置
１９  給油ノズル
２０  ノズル掛け
２１  ノズルスイッチ
２２  給油制御装置
２３  給油量表示器
２４  報知器
２５  油種判断解除釦
３０  セルフコンソール
３１  セルフ制御装置
３２  表示器
３３  タッチスイッチ
３４  プリンタ
３５  区画
３６  油種表示部
３７  給油表示部
３８  給油許可スイッチ部
３９  油種判断表示部
４０  油種判断解除スイッチ
４１  バイクスイッチ部
【図１】
0003750243.tif 000002
【図２】
0003750243.tif 000003
【図３】
0003750243.tif 000004
【図４】
0003750243.tif 000005
【図５】
0003750243.tif 000006